【手続補正書】
【提出日】平成28年3月29日(2016.3.29)
【手続補正１】
【補正対象書類名】特許請求の範囲
【補正対象項目名】全文
【補正方法】変更
【補正の内容】
【特許請求の範囲】
【請求項１】
太陽電池アレイの動作電圧を設定し、かつ前記太陽電池アレイの出力する直流電力を交流に変換するインバータと、
前記太陽電池アレイの出力する電流および電圧を計測する計測部と、
前記計測部により計測される前記太陽電池アレイの動作電圧および出力電流値を基に前記太陽電池アレイの動作電圧指令値を算出する最大電力点追従部と、
前記計測部より得られる前記太陽電池アレイの動作電圧値と、前記最大電力点追従部より設定される前記太陽電池アレイの動作電圧指令値とを比較し、その差分を基に比例積分制御を行う自動電圧調整部と、
前記自動電圧調整部より出力される電流指令値を基に前記インバータのゲート信号を生成するパルス幅変調信号生成部と、
日の出から日の入りまで、低日射の場合も含めて常に最大電力点追従による電圧指令出力により制御する電力制御部と、
を有する、太陽光発電システムの制御システム。
【請求項２】
請求項１記載の太陽光発電システムの制御システムにおいて、
前記電力制御部は、前記太陽光発電システムの電力抑制時にも前記最大電力点追従部によって前記太陽電池アレイの動作電圧を設定する、太陽光発電システムの制御システム。
【請求項３】
請求項２記載の太陽光発電システムの制御システムにおいて、
前記電力制御部は、前記太陽光発電システムの制御電圧を一定に保つ場合にも、前記最大電力点追従部によって前記太陽電池アレイの動作電圧を設定する、太陽光発電システムの制御システム。
【請求項４】
請求項２記載の太陽光発電システムの制御システムにおいて、
前記太陽光発電システムの動作下限電圧が電圧閾値であり、前記動作下限電圧が最大電力点の電圧となるような動作点の電力値が電力閾値である２つの閾値を持ち、
前記太陽光発電システムの解放電圧が前記電圧閾値以下では、前記最大電力点追従部は、前記動作電圧指令値として０Ｖを出力し、
前記太陽光発電システムの解放電圧が前記電圧閾値以上かつ前記太陽光発電システムの発電電力が前記電力閾値以下である場合には、前記最大電力点追従部は、前記動作電圧指令値として所定の一定値を出力し、
前記太陽光発電システムの発電電力が前記電力閾値以上である場合に、最大電力点追従制御により前記動作電圧指令値を決定して出力する、太陽光発電システムの制御システム。
【請求項５】
請求項２記載の太陽光発電システムの制御システムにおいて、
前記電力制御部は、電力抑制時の前記太陽電池アレイの動作電圧設定方法において、前記最大電力点追従部による電圧設定方法と、電力抑制時の電圧設定方法とを有し、前記電力抑制時の電圧設定方法を電力抑制値と電力計測値との比較に基づいて決定する、太陽光発電システムの制御システム。
【請求項６】
請求項２記載の太陽光発電システムの制御システムにおいて、
前記電力制御部は、電力抑制時の前記太陽電池アレイの動作電圧設定方法において、前記最大電力点追従部による電圧設定方法と、電力抑制時の電圧設定方法とを有し、前記電力抑制時の電圧設定方法を事前に準備した電力抑制値と前記電力抑制値に対応する電圧指令値との一覧表から選択する、太陽光発電システムの制御システム。
【請求項７】
請求項２記載の太陽光発電システムの制御システムにおいて、
前記電力制御部は、前記太陽光発電システムの制御において、電力抑制解除時の電圧指令値設定方法を複数有し、前記複数の電圧指令値設定方法を切り替える電圧閾値を、前記太陽光発電システムの最小起動電圧値から決定する、太陽光発電システムの制御システム。
【請求項８】
請求項７記載の太陽光発電システムの制御システムにおいて、
前記複数の電圧指令値設定方法は、二分探索法および山登り法を含み、
前記二分探索法は、前記太陽光発電システムの最小起動電圧から決まる電圧閾値を境に前記二分探索法の探索幅初期値を決定する、太陽光発電システムの制御システム。
【請求項９】
太陽電池アレイの動作電圧を設定し、かつ前記太陽電池アレイの出力する直流電力を交流に変換するインバータと、
前記太陽電池アレイの出力する電流および電圧を計測する計測部と、
前記計測部により計測される前記太陽電池アレイの動作電圧および出力電流値を基に前記太陽電池アレイの動作電圧指令値を算出する最大電力点追従部と、
前記計測部より得られる前記太陽電池アレイの動作電圧値と、前記最大電力点追従部より設定される前記太陽電池アレイの動作電圧指令値とを比較し、その差分を基に比例積分制御を行う自動電圧調整部と、
前記自動電圧調整部より出力される電流指令値を基に前記インバータのゲート信号を生成するパルス幅変調信号生成部と、
電力制御部と、
を有する、太陽光発電システムの制御方法であって、
前記電力制御部は、前記太陽光発電システムの制御を、日の出から日の入りまで、低日射の場合も含めて常に最大電力点追従による電圧指令出力により行う、太陽光発電システムの制御方法。
【請求項１０】
請求項９記載の太陽光発電システムの制御方法において、
前記電力制御部は、前記太陽光発電システムの電力抑制時にも前記最大電力点追従部によって前記太陽電池アレイの動作電圧を設定する、太陽光発電システムの制御方法。
【請求項１１】
請求項１０記載の太陽光発電システムの制御方法において、
前記電力制御部は、前記太陽光発電システムの制御電圧を一定に保つ場合にも、前記最大電力点追従部によって前記太陽電池アレイの動作電圧を設定する、太陽光発電システムの制御方法。
【請求項１２】
請求項１０記載の太陽光発電システムの制御方法において、
前記太陽光発電システムの動作下限電圧が電圧閾値であり、前記動作下限電圧が最大電力点の電圧となるような動作点の電力値が電力閾値である２つの閾値を持ち、
前記太陽光発電システムの解放電圧が前記電圧閾値以下では、前記最大電力点追従部は、前記動作電圧指令値として０Ｖを出力し、
前記太陽光発電システムの解放電圧が前記電圧閾値以上かつ前記太陽光発電システムの発電電力が前記電力閾値以下である場合には、前記最大電力点追従部は、前記動作電圧指令値として所定の一定値を出力し、
前記太陽光発電システムの発電電力が前記電力閾値以上である場合に、最大電力点追従制御により前記動作電圧指令値を決定して出力する、太陽光発電システムの制御方法。
【請求項１３】
請求項１０記載の太陽光発電システムの制御方法において、
前記電力制御部は、電力抑制時の前記太陽電池アレイの動作電圧設定方法において、前記最大電力点追従部による電圧設定方法と、電力抑制時の電圧設定方法とを有し、前記電力抑制時の電圧設定方法を電力抑制値と電力計測値との比較に基づいて決定する、太陽光発電システムの制御方法。
【請求項１４】
請求項１０記載の太陽光発電システムの制御方法において、
前記電力制御部は、電力抑制時の前記太陽電池アレイの動作電圧設定方法において、前記最大電力点追従部による電圧設定方法と、電力抑制時の電圧設定方法とを有し、前記電力抑制時の電圧設定方法を事前に準備した電力抑制値と前記電力抑制値に対応する電圧指令値との一覧表から選択する、太陽光発電システムの制御方法。
【請求項１５】
請求項１０記載の太陽光発電システムの制御方法において、
前記電力制御部は、前記太陽光発電システムの制御において、電力抑制解除時の電圧指令値設定方法を複数有し、前記複数の電圧指令値設定方法を切り替える電圧閾値を、前記太陽光発電システムの最小起動電圧値から決定する、太陽光発電システムの制御方法。 
【手続補正２】
【補正対象書類名】明細書
【補正対象項目名】００９４
【補正方法】変更
【補正の内容】
【００９４】
その後、日射の増加と共に発電量が増え、ステップＳ４０６で取得した発電電力Ｐ（Ｖｄｃ）がある閾値Ｐｍｉｎを超えると（ステップＳ４０７）、特性４、５に示すように最大電力点はＶｍｉｎより高電圧側に位置することになるので、一定電圧制御から山登り法などの最大電力点探索に基づいた電圧指令値設定方法に移行する（ステップＳ４０８〜Ｓ４１７）。閾値となる電力Ｐｍｉｎは、電圧がＶｍｉｎの時に発電電力が最大となるような特性の最大電力である。図１６では特性３の最大電力点ＭＰＰ３の電力値（＝Ｐｍｉｎ）が閾値となる。